(57)【要約】【課題】マニュアルリングとマイクを近接配置する撮像装置において、マニュアルリング操作時に発生する振動が筺体を伝わりマイクに伝達される振動を抑制し、良好なオーディオ信号を記録することを目的としている。【解決手段】集音装置と、操作部材と、撮影レンズを含む撮像部を有し、かつ前記操作部材は前記集音装置を保持している部品とは異なる部品にて保持することを特徴としてい【選択図】図１６
2015231174.tif 000002
【特許請求の範囲】
【請求項１】
集音装置（１１４）と、操作部材（１０４）と、撮影レンズを含む撮像部（１０１）を有し、かつ前記操作部材（１０４）は前記集音装置（１１４）を保持している部品（１１５）とは異なる部品（１０５）にて保持することを特徴とする撮像装置。
【請求項２】
前記操作部材（１０４）は、撮像装置（１００）前方部に、前記撮像部（１０１）の光軸中心に回転可能に支持された環状の操作部材であり、フォーカス、ズーム、絞りの内、少なくとも一つ以上を操作することを特徴とする請求項１に記載の撮像装置。
【請求項３】
前記操作部材（１０４）を保持する部品（１０５）と、前記集音装置（１１４）を保持している部品（１１５）の締結は、前記集音装置（１１４）の投影面（１３０）以外の個所で行うことを特徴とする請求項１又は請求項２に記載の撮像装置。
【請求項４】
前記集音装置（１１４）は第一の集音手段（１１７Ａ）、第二の集音手段（１１７Ｂ）、第三の集音手段（１１７Ｃ）の３つの集音手段から構成され、前記第一及び第二の集音手段（１１７Ａ，Ｂ）は、前記撮像装置（１００）の円筒面上に開口部を有する形で配置され、前記第三の集音手段（１１７Ｃ）は、前記撮像装置（１００）正面の光学アクセサリー取り付けネジ部（１２６）の内側に、被写体を望む形で配置することを特徴とする請求項１至請求項３の何れか一項に記載の撮像装置。
【発明の詳細な説明】
【技術分野】
【０００１】
本発明は、撮像光学系の略光軸中心に回転可能に支持された環状の操作部材と、マイクと、を有する撮像装置に関する。
【背景技術】
【０００２】
被写体像を撮像して得られた映像信号と、撮影環境における音響から得られたオーディオ信号を記録する機器としてビデオカメラなどの撮像装置がある。
【０００３】
通常、撮像装置にマイクを設ける場合、撮像装置の外装を構成する筺体にマイクを組み込む。そのため、撮像装置操作時に発生する振動が、筺体を介してマイクに伝達され、ノイズとして記録されてしまうことが懸念される。したがって、撮像装置操作時に発生する振動がマイクへ伝達されることを如何に抑制し良好なオーディオ信号を得るかが課題となっている。
【０００４】
そこで、従来では、外装面に設けられた、内側空間とは隔てられた凹部の中に、マイク、保護カバー、筺体が互いに接触しないように、マイク及び保護カバーを弾性部材を介して筺体に取り付ける方法などが提案されている（特許文献１参照）。
【０００５】
また、近年では、撮影者の利便性の観点から、撮影時に画角や焦点距離などを撮影者が手動で調整するための操作部材（以下、マニュアルリングとする）を搭載する機種も増えてきている。この、マニュアルリングは、感覚的にレンズ群の移動量を撮影者が認識できるよう、スチルカメラの様に光軸中心でリングを回転させることによって、電動で内部のレンズ群を移動させるものである。
【０００６】
この時、マニュアルリングは、操作性の観点からスチルカメラの様に撮像装置前側に配置される必要がある。また、マイクは被写体側の音を良好に記録出来る位置に配置する必要がある。つまり、マイクは撮像装置を把持している手に覆われない場所で、かつ前側に配置される必要がある。
【０００７】
すなわち、撮像装置の小型化を図る場合には、マニュアルリングとマイクは近接配置されることとなる。
【０００８】
ここで、従来の技術を用いた撮像装置を図１８及び図１９を用いて説明する。図１８は従来の技術を適用したビデオカメラの斜視図である。図１９は従来の技術を適用したビデオカメラの光軸を通る垂直断面図である。従来の技術を適用したビデオカメラ２００には、撮像部２０１、マニュアルリングユニット２０２、が存在し、マニュアルリングユニット２０２は前カバー２０５と後ろカバー２０６にて挟み込む形で操作環２０４を保持している。
【０００９】
また、従来ではマニュアルリングとマイクを近接配置する場合は、前カバー２０５の外観側から設けた凹内に、マイクエレメント２１７、マイクカバー２１８、ダンパー２２０から構成されるマイクユニット２１４を配置している。
【先行技術文献】
【特許文献】
【００１０】
【特許文献１】特開2005-354581号公報
【発明の概要】
【発明が解決しようとする課題】
【００１１】
このような構成を取る従来の技術を用いたビデオカメラ２００では、操作環２０４を操作すると、前カバー２０５に設けられた摺動部リブ２０８上を操作環２０４が摺動することとなる。そのため、摺動に起因する振動が前カバー２０５の摺動部２０８に発生する。この時、マイクエレメント２１７はダンパー２２０を介して保持されているものの、ダンパー２２０で振動を減衰することは不可能である。つまりは、操作環２０４の操作に起因する振動が操作環２０４→前カバー２０５→ダンパー２２０→マイクエレメント２１７という経路でマイクエレメント２１７に伝達されてしまい、ノイズとして記録されてしまうという問題がある。
【００１２】
そこで、本発明では、マニュアルリングとマイクを近接配置する撮像装置において、マニュアルリング操作時に発生する振動が筺体を伝わりマイクに伝達される振動を抑制し、良好なオーディオ信号を記録することを目的としている。
【課題を解決するための手段】
【００１３】
前述の目的を達成するため、本出願に係る第１の発明は、集音装置と、操作部材と、撮影レンズを含む撮像部を有し、かつ前記操作部材は前記集音装置を保持している部品とは異なる部品にて保持することを特徴としている。
【００１４】
また、本発明の他の特徴とするところは、前記、操作部材は、撮像装置前方部に、前記、撮像部の略光軸中心に回転可能に支持された環状の操作部材であり、フォーカス、ズーム、絞りの内、少なくとも一つ以上を操作することを特徴としている。
【００１５】
また、本発明の他の特徴とするところは、前記、操作部材を保持する部品と、前記、集音装置を保持している部品の締結は、前記、集音装置の投影面以外の個所で行うことを特徴としている。
【００１６】
また、本発明の他の特徴とするところは、前記、集音装置は第一の集音手段、第二の集音手段、第三の集音手段の３つの集音手段から構成され、前記、第一及び第二の集音手段は、前記、撮像装置の円筒面上に開口部を有する形で配置され、前記、第三の集音手段は、前記、撮像装置正面の光学アクセサリー取り付けネジ部（の内側に、被写体を望む形で配置することを特徴としている。
【発明の効果】
【００１７】
本発明によれば、マニュアルリングとマイクを近接配置する撮像装置において、マニュアルリング操作時に発生する振動が筺体を伝わりマイクに伝達されることを抑制し、良好なオーディオ信号を記録することが可能となる。
【図面の簡単な説明】
【００１８】
【図１】本実施例のビデオカメラの斜視図
【図２】本実施例のビデオカメラを把持している様子を表す図
【図３】本実施例のマニュアルリングユニットの分解斜視図
【図４】本実施例のマニュアルリングユニットの断面図
【図５】本実施例の操作環回転時の第一及び第二のフォトインタラプタの出力を示す図
【図６】本実施例のビデオカメラの処理の流れを示すブロック図
【図７】本実施例のマイク保持ユニットの分解斜視図
【図８】本実施例のマイクユニットの分解斜視図
【図９】３個のマイクエレメントの配置関係を示す図
【図１０】本実施例におけるマイクエレメントの配置を示す図
【図１１】マイクカバーの組み込み時を示す断面図
【図１２】マイク保持ユニットを後ろ側から見た斜視図
【図１３】センターマイクエレメントの中心を通るマイク保持ユニットの断面図
【図１４】マニュアルリングユニットとマイク保持ユニットの締結状態での背面図
【図１５】マニュアルリングユニットとマイク保持ユニットの締結を表す分解斜視図
【図１６】マニュアルリングユニットとマイク保持ユニットの締結状態での断面図
【図１７】操作環とマイクカバーの位置関係を示す拡大図
【図１８】従来の技術を適用したビデオカメラの斜視図
【図１９】従来の技術を適用したビデオカメラの光軸を通る垂直断面図
【発明を実施するための形態】
【００１９】
以下に本発明の実施形態を添付図面に基づいて説明する。
【００２０】
以下に本発明の本実施の形態を、撮像装置の一例としてビデオカメラを用いて説明する。
【００２１】
なお、本実施の形態においては、撮影者から被写体に向かう方向で上下左右とし、被写体側を前、撮影者側を後、と定義し説明を行う。
【００２２】
まず最初に、図１及び図２用いて、以下に本発明の実施例のビデオカメラの構成を説明する。
【００２３】
図１は本実施例のビデオカメラの斜視図である。図２は本実施例のビデオカメラを把持している様子を表す図である。本発明に係る実施例のビデオカメラの構成は図１に示すように、ビデオカメラ１００には、撮像部１０１、マニュアルリングユニット１０２、マイク保持ユニット１０３、が存在する。
【００２４】
また、ビデオカメラ１００の内部には、制御部１１３を実装した基板（不図示）が存在する。これらの構成要素を持つビデオカメラ１００においては、撮像部１０１は、被写体に臨む形で配置されている。マニュアルリングユニット１０２は、ビデオカメラ１００の前側端部の撮像部１０１の外周に配置されている。マイク保持ユニット１０３は、図２に示すようにビデオカメラ１００を把持している手とマニュアルリングユニット１０２の間に配置されている。
【００２５】
撮像部は１０１は、被写体を撮像するためのレンズや撮像した画像を電気信号に変換するセンサなどを含んでいるユニットである。また、アクチュエーター１０１Ａを内蔵し、内部の可動レンズ１０１Ｂ及び絞り羽根を動作させることが可能であり、ズーム、フォーカス、及び絞りの機能を有している。
【００２６】
次にマニュアルリングユニット１０２の詳細について、図３及び図４を用いて説明をする。図３はマニュアルリングユニット１０２の分解斜視図である。図４はマニュアルリングユニット１０２の断面図である。このとき、図３(a)は背面側から見た分解斜視図であり、図(b)は正面側から見た分解斜視図である。
【００２７】
マニュアルリングユニット１０２は、操作環１０４、前カバー１０５、後ろカバー１０６、検知手段１０７から構成され、前カバー１０５と後ろカバー１０６は、両者の間に操作環１０４を挟み込む形でビスにて後ろ側から締結されている。
【００２８】
この時、操作環１０４は前カバー１０５に設けられた円弧上の摺動リブ１０８の外周を摺動することによって、撮像部１０１の光軸を中心に回動可能となっている。また、操作環１０４の回転操作時の前後方向の位置規制は、前カバー１０５及び後ろカバー１０６に設けられた摺動部上を操作環１０４が摺動することによって行っている。
【００２９】
前カバー１０５はビデオカメラ１００の最前面部を覆う外装部品であり、その略中央部には撮像部１０１を露出させるための開口部が設けてある。また、前カバー１０５の最前面部にはネジ形状１２６が設けられており、光学アクセサリーを取り付けることが可能となっている。
【００３０】
操作環１０４の後端には切り欠き１０９が全周にわたって等間隔に存在し、櫛歯形状が形成されている。検知手段１０７は、フレキシブル基板１１２上に実装された、第一のフォトインタラプタ１１０、第二のフォトインタラプタ１１１、から構成されている。そして、操作環１０４に設けられた櫛歯形状が第一及び第二のフォトインタラプタ１１０、１１１のそれぞれのスリット間を通過し、検知し得るように、操作環１０４の回転領域に配置されている。
【００３１】
またここで、マニュアルリングユニット１０２は、撮像部１０１の光軸中心に回動操作することによって、ズーム、フォーカス絞りなどの撮像部１０１にまつわる操作を行うものである。本実施例においては、フォーカス調整のみを行うものとしている。またここで、本実施例においてはマニュアルリングユニット１０２はフォーカス調整のみを行うが、これに限らずズームや絞りを調整するものでも良い。また、ズーム、フォーカス、絞りのどのアクチュエーターを駆動させるかを撮影者が任意に選ぶ切替スイッチを設けても構わない。
【００３２】
すなわち、操作環１０４は、ビデオカメラ１００の前側端の撮像部１０１の外周に設けることで、スチルカメラの様に本体を把持していない側の手（左手）で直感的に撮像部１０１にまつわる操作を行うことができることとなり、非常に操作性がに優れることとなる。
【００３３】
次に、操作環１０４の回転検知について図４及び図５を用いて説明する。図５は操作環１０４を回転させた時の第一及び第二のフォトインタラプタ１１０、１１１の出力を示す図である。
【００３４】
操作環１０４を撮像部１０１の光軸中心で回動操作させると、両フォトインタラプタ１１０、１１１のそれぞれのスリット間を操作環１０４の歯の部分と切り欠き１０９が交互に通過する。すなわち、スリット間に切り欠き１０９が存在している時は、発光素子から受光素子まで光が到達し、ＨＩＧＨの信号を出力する。また、スリット間に操作環１０４の歯の部分が存在している時は、光が遮断されるため、ＬＯＷの信号を夫々出力する。なお、両フォトインタラプタ１１０、１１１は、図５に示すように一つの切り欠き１０９の１／２の間隔をあけて配置されている。
【００３５】
従って、図５に示すように、操作環１０４の回転方向に応じて両インタラプタの出力は１／２ステップずれてＨＩＧＨとＬＯＷが出力される。すなわち、図５から明らかなように、操作環１０４が右回転で操作されると第一のフォトインタラプタ１１０の方が先に、また左回転で操作されると第二のフォトインタラプタ１１１の方が先にＨＩＧＨの信号を出力する。
【００３６】
次に、操作環１０４の回転動作時のビデオカメラ１００の処理の流れを図５を用いて説明する。図６は  本実施例のビデオカメラの処理の流れを示すブロック図である。検知手段１０７の第一及び第二のフォトインタラプタ１１０、１１１から出力された信号は、制御部１１３に入力され、操作環１０４の回転方向と回転角度を検出し、撮像部１０１内部にある可動レンズ１０１Ｂの駆動方向及び量を決定する。そして、制御部１１３はアクチュエーター１０１Ａに対して駆動信号を出力することによって、可動レンズ１０１Ｂを所望量移動させ、ピント調整を行う。
【００３７】
次にマイク保持ユニット１０３の詳細について、図７を用いて説明をする。図７はマイク保持ユニット１０３の分解斜視図である。マイク保持ユニット１０３は、マイクユニット１１４、マイク保持カバー１１５、マイク押さえ部材１１６、から構成されている。マイクユニット１１４は、音を記録するためのマイクエレメントを内包するユニットである。マイク保持カバー１１５、マイクユニットを保持するための部材であり、外観の一部を形成している。マイク押さえ部材１１６は、マイクユニット１１４を内側から支える部材であり、薄板状の金属で構成されている。
【００３８】
次にマイクユニット１１４の詳細について図８を用いて説明をする。図８はマイクユニット１１４の分解斜視図である。マイクユニット１１４は、右マイクエレメント１１７Ａ、左マイクエレメント１１７Ｂ、センターマイクエレメント１１７Ｃの３個のマイクエレメント１１７Ａ，Ｂ，Ｃと、それぞれと電気的に接続されたワイヤー１２１、３個のマイクカバー１１８Ａ，Ｂ，Ｃ、３個のマイク裏プレート１１９Ａ，Ｂ，Ｃ、及びダンパー１２０、から構成されている。
【００３９】
右マイクエレメント１１７Ａはビデオカメラ１００の右側の音を集音するためのものである。左マイクエレメント１１７Ｂはビデオカメラ１００の左側の音を集音するためのものである。センターマイクエレメント１１７Ｃはビデオカメラ１００の正面の音を集音するためのものである。
【００４０】
マイクカバー１１８は、マイクエレメント１１７の正面を覆うアルミなどの比較的容易に変形することが可能な材質で作られた部材であり、マイクエレメント１１７への異物の接触などを防止しつつ音声を伝達するための複数の穴、及びマイクカバー１１８自身を固定するための足を複数持っている。
【００４１】
また、マイクカバー１１８は３個のマイクエレメント１１７Ａ，Ｂ，Ｃそれぞれに対して、一つずつ存在している。マイク裏プレート１１９は、ダンパー１２０に存在するマイクエレメント１１７の裏側を塞ぐものであり、薄板状の金属で構成されている。また、マイク裏プレート１１９は３個のマイクエレメント１１７Ａ，Ｂ，Ｃそれぞれに対して、一つずつ存在している。
【００４２】
ダンパー１２０は、弾性を有する材料からなり、例えばゴムやゲルなどで形成されている。ダンパー１２０には、３個のマイクエレメント１１７Ａ，Ｂ，Ｃを浮かせるようにして支持する３個の凹部と、ワイヤー１２１及びコネクタ１２２を通す穴及び溝が形成され、さらには、マイクユニット１１４をマイク保持カバー１１５に対して保持するためのフランジ部が形成されている。また、３個のマイクカバー１１８Ａ，Ｂ，Ｃに設けれらている足１２３を貫通されるための穴１２４を、足に対応する部位に有している。
【００４３】
次にマイクユニット１１４内における３個のマイクエレメント１１７Ａ，Ｂ，Ｃの配置について図９を用いて説明する。図９は、３個のマイクエレメント１１７Ａ，Ｂ，Ｃの配置関係を示す図である。このとき、図９(a)は上面から見た図であり、図９(b)は正面から見た図である。
【００４４】
図９に示すように、マイクユニット１１４においては、右側マイクエレメント１１７Ａはビデオカメラ１００の右側の音を集音するためのものであるため、他のマイクエレメントよりも右側方向の感度が高くなるように、ビデオカメラ１００の右側に傾けた位置でダンパー１２０に支持されている。
【００４５】
また、左側マイクエレメント１１７Ｂはビデオカメラ１００の左側の音を集音するためのものであるため、他のマイクエレメントよりも左側方向の感度が高くなるように、ビデオカメラ１００の左側に傾けた位置でダンパー１２０に支持されている。
【００４６】
また、センターマイクエレメント１１７Ｃはビデオカメラ１００の正面の音を集音するためのものであるため、他のマイクエレメントより正面の感度が高くなるようにビデオカメラ１００の正面を向く形でダンパー１２０に支持されている。
【００４７】
そして、ビデオカメラ１００は各方向に対して最大の感度を示す３つのマイクエレメント１１７Ａ，Ｂ，Ｃ、からの信号を制御部１１３で合成することによって、立体音場を内部で生成している。  以上のような構成のマイクユニット１１４を有するビデオカメラ１０において、良好なオーディオ信号を記録するためには、３個のマイクエレメント１１７Ａ，Ｂ，Ｃが、把持している手に覆われない位置にマイクユニット１１４を配置する必要がある。
【００４８】
また、マイクユニット１１４は被写体側の音を記録するためのものであるため、ビデオカメラ１００の前側に配置する必要がある。しかし、マニュアルリングユニット１０２よりも前側に配置した場合では、操作環１０４操作時の振動を減衰させるためのゴム部をさらに設ける必要があるため、大型化が避けられない。そのため、マイク保持ユニット１０３は、ビデオカメラ１００を把持している手とマニュアルリングユニット１０２の間に配置する必要がある。
【００４９】
次に３個のマイクエレメント１１７Ａ，Ｂ，Ｃの詳細な配置位置について図９及び図１０を用いて説明する。
【００５０】
図１０は本実施例におけるマイクエレメントの配置を示す図である。このとき、図１０(a)は上面から見た図であり、図１０(b)は正面から見た図である。図１０に示すように、左右の音を記録するためのマイクエレメント１１７Ａ，Ｂはビデオカメラ１００の外装を形成する円筒面上に配置している。また、三脚使用時や床置き時においても、マイクエレメント１１７Ａ，Ｂの前面が覆われないために、ビデオカメラ１００の上面側に設けられている。この時、左右の音を記録するためのマイクエレメント１１７Ａ，Ｂは、撮像部１０１の光軸から左右方向の距離LaとLbが略同等となる位置で、高さ方向及び前後方向の位置が略同一の位置に配置することによって、記録している映像信号に対して違和感の無いステレオ感を得ることが可能としている。
【００５１】
また、正面の音を記録するためのセンターマイクエレメント１１７Ｃは、マイクエレメント１１７Ａ，Ｂとの音声信号と違和感無く合成を行うにあたり、マイクエレメント１１７Ａ，及びＢからの距離が略等距離となる位置に配置する必要がある。すなわち、撮像部１０１の光軸を通る垂直断面１２７上に配置する必要がある。
【００５２】
ここで、マイクエレメント１１７Ａ，Ｂとセンターマイクエレメント１１７Ｃの高さ方向の位置が大きく異なると、合成時に違和感が生じてしまう。以上のことより、図９（ｂ）に示すように、３個のマイクエレメント１１７Ａ，Ｂ，Ｃは略同一高さに配置することで良好なオーディオ性能を獲得することが出来る。
【００５３】
また、３個のマイクエレメント１１７Ａ，Ｂ，Ｃは本実施例の様な配置をすることによって、本実施例のビデオカメラ１００においては、以下の様な利点を生み出すことが出来る。左右のマイクエレメントマイクエレメント１１７Ａ，Ｂの距離を離して配置することが出来るため、ステレオ感が得やすく、オーディオ性能の向上を図ることが可能となる。
【００５４】
センターマイクエレメント１１７Ｃは、光学アクセサリー取り付けネジ部１２６の内側に配置することによって、ネジ部１２６が遮音壁の役割をし、正面からの音と左右からの音を切り分けすることが容易になる。そのため、正面側の集音感度を向上させることが可能になる。
【００５５】
次にマイクカバー１１８に振動を伝達させない構造について図１１を用いて説明する。図１１は右マイクエレメント１１７Ａ部における、マイクカバー１１８Ａの組み込み時を示す断面図である。
【００５６】
このとき、図１１(a)は組み込み時を表す図であり、図１１(b)は組み込み後を表す図である。マイクカバー１２３を組み込む際には、マイクカバー足１２３をダンパー１２０に設けられた穴１２４にマイクエレメント１１７Ａの正面側から挿入する。そして、ダンパー１２０を挟み込む形で裏側からマイクカバー足１２３の間にマイク裏プレート１１９を配置する。この時、マイクカバー足１２３はマイク裏プレート１１９の面よりも突出した形状となっている。
【００５７】
そして、マイクカバー足１２３の突出した部分を内側（図中矢印方向）に折り曲げダンパー１２０を挟み込む形で固定する。
【００５８】
またこの時、ダンパー１２０の一部は裏側に対して凸形状１２５を有しており、この凸形状１２２５は折り曲げられたマイクカバー足１２３よりも凸となっている。これにより、マイクユニット１１４の裏側からの振動はダンパー１２０を経由してマイクエレメント１１７に伝達されるため、マイクエレメント１１７に到達される振動は抑制され、良好なオーディオ信号が記録される。
【００５９】
なお、左マイクエレメント１１７Ｂ、及びセンターマイクエレメント１１７Ｃに関しても同様の組込みであるため、説明は割愛する。
【００６０】
次にマイク保持ユニット１０３内でのマイクユニット１１４の保持に関して図及び図１３を用いて説明する。
【００６１】
図１２は左右のマイクエレメント１１７Ａ，Ｂの中心を通るマイク保持ユニットの断面図である。図１３はセンターマイクエレメント１１７Ｃの中心を通るマイク保持ユニットの断面図である。図１２、及び図１３より、マイクユニット１１４は、マイク保持カバー１０５に設けられた、貫通孔に内側から挿入される。この時、ダンパー１２０に設けられたフランジ部がマイク保持カバー１０５の内側の面に当接し、差し込み方向の抜け止めとなる。
【００６２】
またこの時、マイクカバー１１８とマイク保持カバー１０５に設けられた貫通孔の内側の面は所定の距離を持っており、接触はしていない。つまり、マイクユニット１１４とマイク保持カバー１０５の間において、当接しているのはダンパー１２０のみであり、マイク保持カバー１０５に伝わる操作環１０４の摺動振動はダンパー１２０を経由してマイクエレメント１１７に振動が伝わるため、マイクエレメント１１７に伝達される振動を抑制することが出来る。
【００６３】
マイク保持カバー１０５の貫通孔に挿入されたマイクユニット１１４は裏側より、マイク押さえ部材１１６で保持される。このとき、マイク押さえ部材１１６にはマイクエレメント１１７と略並行なマイク受け面１２８を有している。そしてマイク受け面１２８にて、マイクユニット１１４のダンパー１２０をマイク保持カバー１０５との間に均一にチャージすることによって、隙間から音がマイクエレメント１１７に回り込むことを防いでいる。
【００６４】
このとき、ダンパー１２０の凸形状１２５はマイク裏プレート１１９よりも凸となっているため、マイク押さえ部材１１６のマイク受け面１２８にはダンパー１２０の凸形状１２５のみが当接する。これにより、マイク押さえ部材１１６に振動が伝わったとしても、ダンパー１２０を経由してマイクエレメント１１７に振動が伝わるため、マイクエレメント１１７に伝達される振動を抑制することが出来る。
【００６５】
次にマニュアルリングユニット１０２とマイク保持ユニット１０３の締結について図１４〜図１６を用いて説明する。図１４はマニュアルリングユニット１０２とマイク保持ユニット１０３の締結状態での背面図である。図１５はマニュアルリングユニット１０２とマイク保持ユニット１０３の締結を表す分解斜視図である。図１６はマニュアルリングユニット１０２とマイク保持ユニット１０３の締結状態での断面図である。
【００６６】
図１４乃至図１６に示すように、マニュアルリングユニット１０２とマイク保持ユニット１０３は、前カバー１０５に設けたネジ穴に締結ビス１２９を締めこむことでマイク保持カバー１１５を挟み込んで締結している。この時、前カバー１０５とマイク保持カバー１１５は締結部１３３以外では所定の空間を設けている。
【００６７】
また、締結部１３３は前後方向の投影面でマイクユニット１１４とオーバーラップするマイクエリア１３０以外の範囲に設けられている。
【００６８】
以上のことより、本実施例に示すビデオカメラにおいては、操作環１０４を回動操作した際に発生する振動のマイクエレメント１１７までの伝達は、操作環１０４→前カバー１０５→締結部１３３→マイク保持カバー１１５→ダンパー１２０→マイクエレメント１１７という経路を辿ることになる。
【００６９】
このとき、前カバー１０５とマイク保持カバー１１５の締結部１３３はマイクエリア１３０を避けた位置、すなわちマイクユニット１１４から離れた位置に設けられているため、振動の伝達経路長は長くなる。これにより、経路途中で振動の減衰が起こり、マイクユニット１１４に到達する振動は非常に小さなものとなる。つまり、操作環１０４とマイクエレメント１１７の近接配置を行っても操作環１０４の操作時に発生する振動が筺体を伝わりマイクエレメント１１７に伝達されることを大幅に抑制し、良好なオーディオ信号の記録が可能となる。
【００７０】
次に締結後のマニュアルリングユニット１０２とマイク保持ユニット１０３の締結後における、操作環１０４とマイクカバー１１８の位置関係について図１６を用いて説明する。
【００７１】
図１７は操作環１０４とマイクカバー１１８の位置関係を示す右マイクカバー１１８Ａ部での拡大図である。図１７に示すように、本実施例においては、マニュアルリングユニット１０２とマイク保持ユニット１０３が締結された状態において、右マイクカバー１１８Ａの最外周部１３１よりも、操作環１０４の最外周部１３２の方が凸となっている。これにより、操作環１０４を操作した時に、操作している指にてマイクカバー１１８Ａを触ってしまう事が無く、マイクユニット１１４と操作環１０４を近接配置しても良好なオーディオ信号を記録することが可能となる。また、マイクカバーＢと操作環１０４についても同様の関係となる。
【００７２】
以上説明したように、本発明によれば、マニュアルリングとマイクを近接配置する撮像装置において、マニュアルリング操作時に発生する振動が筺体を伝わりマイクに伝達されることを抑制し、良好なオーディオ信号を記録することが可能となる。
【００７３】
以上、本発明をその好適な実施の形態に基づいて詳述してきたが、本発明はこれら特定の実施の形態に限られるものではなく、本発明と同様の効果が得られるものであれば、この発明の要旨を逸脱しない範囲の様々な形態にも適応されることは言うまでもない。
【符号の説明】
【００７４】
１００  ビデオカメラ、１０１  撮像部、１０２  マニュアルリングユニット、
１０３  マイク保持ユニット、１０４  操作環、１０５  前カバー、
１０６  後ろカバー、１０７  検知手段、１０８  摺動リブ、１０９  切り欠き、
１１０  第一のフォトインタラプタ、１１１  第二のフォトインタラプタ、１１２  フレキシブル基板、１１３  制御部、１１４  マイクユニット、
１１５  マイク保持カバー、１１６  マイク押さえ部材、１１７  マイクエレメント、
１１８  マイクカバー、１１９  マイク裏プレート、１２０  ダンパー、
１２１  ワイヤー、１２３  マイクカバー足、１２４  ダンパー穴、
１２５  ダンパー凸形状、１２６  光学アクセサリー取り付けネジ部、
１２７  光軸垂直断面、１２８  マイク受け面、１２９  締結ビス、
１３０  マイクエリア、１３１  マイクカバー最外周、１３２  操作環最外周、
１３３  締結部、２０４  操作環、２０５  前カバー、２０６  後ろカバー、
２０８  摺動リブ、２１７  マイクエレメント、２１８  マイクカバー、
２２０  ダンパー
【図１】
2015231174.tif 000003
【図２】
2015231174.tif 000004
【図３】
2015231174.tif 000005
【図４】
2015231174.tif 000006
【図５】
2015231174.tif 000007
【図６】
2015231174.tif 000008
【図７】
2015231174.tif 000009
【図８】
2015231174.tif 000010
【図９】
2015231174.tif 000011
【図１０】
2015231174.tif 000012
【図１１】
2015231174.tif 000013
【図１２】
2015231174.tif 000014
【図１３】
2015231174.tif 000015
【図１４】
2015231174.tif 000016
【図１５】
2015231174.tif 000017
【図１６】
2015231174.tif 000018
【図１７】
2015231174.tif 000019
【図１８】
2015231174.tif 000020
【図１９】
2015231174.tif 000021